【手続補正書】
【提出日】平成17年9月6日(2005.9.6)
【手続補正１】
【補正対象書類名】明細書
【補正対象項目名】発明の名称
【補正方法】変更
【補正の内容】
【発明の名称】位置確認システム、位置確認方法、位置確認サーバ、端末装置
【手続補正２】
【補正対象書類名】特許請求の範囲
【補正対象項目名】全文
【補正方法】変更
【補正の内容】
【特許請求の範囲】
【請求項１】
現在地を測位して位置情報を取得する位置測位手段と、
地理的な領域であるゾーンにゾーン識別子を対応付けて管理するゾーン対識別子管理手段と、
前記位置情報が示す前記現在地を含む前記ゾーンに該当する前記ゾーン識別子を前記ゾーン対識別子管理手段から取得するゾーン識別子取得手段と、
前記ゾーン識別子に対応付けて前記位置情報を記憶する記憶手段と、
前記位置情報を前記ゾーン識別子に対応付けた状態で送信する送信手段と、
を有する端末装置と、
前記端末装置から、前記ゾーン識別子に対応付けられた前記位置情報を受信する位置情報受信手段と、
前記ゾーン識別子に対応すべき地理的な領域である認証用ゾーンを管理する識別子対ゾーン管理手段と、
前記端末装置からの前記ゾーン識別子に該当する前記認証用ゾーンを前記識別子対ゾーン管理手段から取得する認証用ゾーン取得手段と、
前記位置情報が示す前記端末装置の現在地が前記認証用ゾーン内に位置するか否かを確認する認証手段と、
を有する位置確認サーバと、
を備えることを特徴とする位置確認システム。
【請求項２】
前記位置確認サーバは、
時間ごとに前記認証用ゾーンに対応付ける前記ゾーン識別子を変更するための規則を管理する設定変更規則管理手段と、
前記設定変更規則管理手段から前記規則を読み出して前記端末装置に送信するゾーン設定送信手段と、
を備えることを特徴とする請求項１に記載の位置確認システム。
【請求項３】
端末装置が現在地を測位して位置情報を取得する位置測位ステップと、
前記端末装置が、前記位置情報が示す前記現在地を含んでいる地理的な領域であるゾーンに対応付けて管理されたゾーン識別子を取得するゾーン識別子取得ステップと、
前記端末装置が、前記ゾーン識別子に対応付けて前記位置情報を記憶手段に記憶する記憶ステップと、
前記端末装置が、前記ゾーン識別子に対応付けられた前記位置情報を前記記憶手段から読み出して送信する送信ステップと、
位置確認サーバが、前記端末装置から前記ゾーン識別子に対応付けられた前記位置情報を受信する受信ステップと、
前記ゾーン識別子に対応すべき認証用ゾーンを管理する識別子対ゾーン管理手段から、前記端末装置からの前記ゾーン識別子に該当する前記認証用ゾーンを取得する認証用ゾーン取得ステップと、
前記位置確認サーバが、前記位置情報が示す前記端末装置の現在地が前記認証用ゾーン内に位置するか否かを確認する認証ステップと、
を有することを特徴とする位置確認方法。
【請求項４】
測位した端末装置の現在地を表す位置情報を、前記端末装置の現在地を含むゾーンに対応付けて管理されているゾーン識別子を付して記憶している、前記端末装置の記憶手段から前記ゾーン識別子を付した前記位置情報を読み出して送信した前記端末装置から、前記ゾーン識別子に対応付けた前記位置情報を受信する位置情報受信手段と、
前記ゾーン識別子に対応すべき認証用ゾーンを管理する識別子対ゾーン管理手段と、
前記端末装置からの前記ゾーン識別子に該当する前記認証用ゾーンを取得する認証用ゾーン取得手段と、
前記位置情報が示す前記端末装置の現在地が前記認証用ゾーン内に位置するか否かを確認する認証手段と、
を備えることを特徴とする位置確認サーバ。
【請求項５】
現在地を測位して位置情報を取得する位置測位手段と、
地理的な領域であるゾーンにゾーン識別子を対応付けて管理するゾーン対識別子管理手段と、
前記位置情報が示す前記現在地を含む前記ゾーンに該当する前記ゾーン識別子を前記ゾーン対識別子管理手段から取得するゾーン識別子取得手段と、
前記ゾーン識別子に対応付けて前記位置情報を記憶する記憶手段と、
前記位置情報を前記ゾーン識別子に対応付けた状態で送信する送信手段と、
を備えることを特徴とする端末装置。
【請求項６】
設置された際の位置情報を有する基地局との間で無線により前記基地局の位置情報のデータ通信を行う無線通信手段と、
前記基地局の位置に対応した地理的な領域であるゾーンにゾーン識別子を対応付けて管理するゾーン対識別子管理手段と、
前記基地局の位置に対応した前記ゾーンに該当する前記ゾーン識別子を前記ゾーン対識別子管理手段から取得するゾーン識別子取得手段と、
前記ゾーン識別子に対応付けて前記基地局の位置を表す位置情報を記憶する記憶手段と、
前記位置情報を前記ゾーン識別子に対応付けた状態で送信する送信手段と、
を有する端末装置と、
前記端末装置から、前記ゾーン識別子に対応付けられた前記位置情報を受信する位置情報受信手段と、
前記ゾーン識別子に対応すべき地理的な領域である認証用ゾーンを管理する識別子対ゾーン管理手段と、
前記端末装置からの前記ゾーン識別子に該当する前記認証用ゾーンを前記識別子対ゾーン管理手段から取得する認証用ゾーン取得手段と、
前記位置情報が示す前記端末装置の現在地が前記認証用ゾーン内に位置するか否かを確認する認証手段と、
を有する位置確認サーバと、
を備えることを特徴とする位置確認システム。
【請求項７】
前記位置確認サーバは、
時間ごとに前記認証用ゾーンに対応付ける前記ゾーン識別子を変更するための規則を管理する設定変更規則管理手段と、
前記設定変更規則管理手段から前記規則を読み出して前記端末装置に送信するゾーン設定送信手段と、
を備えることを特徴とする請求項６に記載の位置確認システム。
【請求項８】
前記ゾーン識別子は、前記端末装置としての携帯電話装置の基地局のセルゾーンに付されたゾーンの識別子である構成としたことを特徴とする請求項６又は請求項７のいずれかに記載の位置確認システム。
【請求項９】
前記ゾーン識別子は、前記端末装置としての携帯電話装置の基地局に関連付けられたコードである構成としたことを特徴とする請求項６又は請求項７のいずれかに記載の位置確認システム。
【請求項１０】
設置された際の位置情報を有する基地局との間で無線により前記基地局の位置情報のデータ通信を行う無線通信手段と、
前記基地局の位置に対応した地理的な領域であるゾーンにゾーン識別子を対応付けて管理するゾーン対識別子管理手段と、
前記基地局の位置に対応した前記ゾーンに該当する前記ゾーン識別子を前記ゾーン対識別子管理手段から取得するゾーン識別子取得手段と、
前記ゾーン識別子に対応付けて前記基地局の位置を表す位置情報を記憶する記憶手段と、
前記位置情報を前記ゾーン識別子に対応付けた状態で送信する送信手段と、
を備えることを特徴とする端末装置。
【請求項１１】
前記ゾーン識別子は、前記端末装置としての携帯電話装置の基地局のセルゾーンに付されたゾーンの識別子である構成としたことを特徴とする請求項１０に記載の位置確認システム。
【請求項１２】
前記ゾーン識別子は、前記端末装置としての携帯電話装置の基地局に関連付けられたコードである構成としたことを特徴とする請求項１０に記載の位置確認システム。
【手続補正３】
【補正対象書類名】明細書
【補正対象項目名】０００５
【補正方法】変更
【補正の内容】
【０００５】
そこで、本発明の目的は、上記課題を解消して、端末装置の位置のなりすましを確実に検出することができる位置確認システム、位置確認方法、位置確認サーバ、端末装置を提供することである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】